(57)【要約】【課題】  現在プラスティックボート専用の釣り竿保持具はなく、プラスティックボートの船縁に穴をあけてビスで棧をとりつけ、そこに木製釣り船用の竿保持具をつけているが、棧やビスが腐食してボートがいたむため、貸しボート業者の多くはとりつけなくなり、ボート釣りのファンは不自由をしている。【解決手段】  竿保持具下部のクランプ装置を、プラスティックボートの船べりの形状にあわせたＰ字型で強剛性を有する弾性材の一枚板とし、それをボート船べりの薄いカエシの部分に引っかけ、固定ネジで締めつけることによって、竿保持具本体を船べりに固定するプラスティックボート用竿保持具にした。【選択図】図１
2007068520.tif 000002
【特許請求の範囲】
【請求項１】
プラスティックボートの船べりにとりつける竿保持具において、竿保持具下部のクランプ装置を、船べりの形状にあわせたＰ字型の一枚板とし、それをボート船べりの薄いカエシの部分に引っかけ、引っかけた部分を固定ネジでカエシ部分に締めつけて、本体を船べりに固定することを特徴とするプラスティックボート用竿保持具。
【発明の詳細な説明】
【技術分野】
【０００１】  本発明は、プラスティックボートの船べりにとりつける釣り竿保持具の、本体下部のクランプ装置に関する。
【背景技術】
【０００２】  従来型釣り船用竿保持具は木製の釣り船にとりつけることを目的としたものであり、プラスティックボートに直接とりつけられる竿保持具はまだない。【０００３】  以下、図１４、１５により、従来型釣り船用竿保持具のクランプ装置について説明する。図において、本体上部の竿掛け部分に関しては様々な構造の製品が市販されているが、下部台座のクランプ装置はコの字型で船べりを鷲掴みにするものが周知であり、１７のごとく船べり上面に置いて締めつけるもの（例えば特許文献１、特許文献２）、１８のごとく手前から船べりに押しつけて上下から締めつけるもの（例えば特許文献３、特許文献４）などがあるが、プラスティックボートの場合、その材質、形状からして、直接とりつけることは困難である。【０００４】  次に、図２、図３、図４、図５によって、プラスティックボートの船べりの形状、材質を説明する。形状は、従来型竿保持具をとりつけるのには不向きであり、プラスティックの弾力も固定を不可能にしている。図２はプラスティックボートを胴切りにした断面図である。図３が現在最も多く出まわっているメーカーのボートの船べりの実物大であり、１がボート本体、２が船べり上面、３が船べりのカエシ部分。図４が古い型のボートの船べりであるが、本発明は融通性があるのでどちらの型にも通用する。図５はさらに古く、船べりのカエシが外（海側）に向いており、ボート同士、あるいは桟橋などにぶつかった時の衝撃に弱いとのことで、今は極めて稀にしか見かけない。本発明はこの図５の型は対象としない。尚、手漕ぎボートに限ら大型のプラスティックボートにも、船べりの幅、カエシの長さに合わせることによっ本発明は応用できる。【０００５】    現在、従来型釣り船用竿保持具をプラスティックボートにとりつけるため、図１６のごとく、プラスティックボートの船べり上面２に細い木製の棧１９をビス２０でとめ、その棧をクランプ装置が鷲掴みにして使用されている。
【特許文献１】  特開２０００−２３６０８
【特許文献２】  実開平５−９１３３０
【特許文献３】  特開２０００−２７０７４４
【特許文献４】  特開２０００−２７０７４５
【発明の開示】
【発明が解決しようとする課題】
【０００６】  以上に述べたごとく、現在プラスティックボートに直接つけられる竿保持具はない。また、図１６のごとく木製の棧をとりつけた場合、費用がかかる上、棧もビスも腐食しやすく、ボート自体がいたむので、最近多くの貸しボート業者は取り付けなくなり、釣り人は不自由している。【０００７】  本発明は、このような従来の問題を解決しようとするものであり、プラスティックボートの船べりに直接とりつけることが可能な釣り竿保持具を実現することを目的とするものである。
【課題を解決するための手段】
【０００８】  本発明は、上記目的を達成するために、プラスティックボートの船べりの形状にあわせたＰ字型で強剛性を有する弾性材の一枚板（図９の７ａ、７ｂ、７ｃ、７ｄ）とし、それをボート船べりの薄いカエシの部分（図１０の３）に引っかけ、固定ネジで締めつける（図１１の９）ことによって、竿保持具本体を船べりに固定するのを特徴とするプラスティックボート用竿保持具とした。
【発明の効果】
【０００９】  上述したように、本発明はプラスティックボートの船べりに直接簡単にとりつけることができる上、カエシ部分にひっかけるから竿先の重量、魚の引きによって海側へ落ちることはない。したがってクランプ装置は手前に落ちぬ程度の軽い締めつけで充分であり、従来型のように船べりを強く掴む堅牢な素材、強力な締めつけ装置は必要なく、釣り人の携行に便利な小型軽量のものとなるし、図８のごとく折り畳むこともできる。また、棧を必要としないのでボートがいたむことはなく、貸しボート業者にも釣りファンにも喜んでもらえる竿保持具を提供できる。【００１０】  さらに、本発明の他の実施形態について、図１７、図１８によって説明する。狭いボート内での釣りには、道具持ち物等の整理が必要であり、本発明のクランプ装置による餌箱（２１）は大変便利である。また本発明クランプ装置によるドリンクホルダー（２２）も釣りを一層楽しいものにするし、釣りとは関係なく公園の池などの貸しボート業者も喜んで取りつけるものと思われる。現在自動車用に窓枠に引っかけるだけのドリンクホルダーはあるが、本発明のごとく落下を止める締めつけはない。釣り場では手元の動きが激しいので、締めつけがなければ落下の危険性は大である。本発明のクランプ装置による餌箱、ドリンクホルダーはボート釣りやボート遊びをする人たちに、便利さと楽しさを提供できる。
【発明を実施するための最良の形態】  以下、本発明の実施の形態を図１、図６、図７、図８、図９、図１０、図１１、図１２、図１３に基づいて説明する。【００１１】  図１はプラスティックボートの船べり部分に本発明をとりつけた斜視図で、左が海側、右が船内側である。１はプラスティックボート本体。２は同船べりの上面、３はカエシの部分である。４は竿、５は竿掛けで、竿受け部と竿保持部が一体となっており、ステンレス製が適当である。以下、６、７、８、９、１０、１１、１２、１６の素材は軽くて強靱なものが望ましく、アルミや強化プラスティックとしたい。６は厚さ１０ミリ程度の板で、本発明の土台であり、１０の雄ネジはこの板に固着（図６の６−Ｄ参照）されている。７ａ、７ｂ、７ｃ、７ｄが本発明の台座主要部で、厚さ０．３ミリ程度のＰ字型一枚板であるが、７ａの部分のみ両脇が下向きのコの字型で６にかぶさり（本発明を海側から見た図７参照）、７ａは６の上を前後にスライドできる作り（図８参照）である。７ｄを３の裏側に引っかけて７ｃ、７ｂ、７ａを船べりに押しつけ、９の締めつけネジで固定するというもの（図９、図１０、図１１参照）であるが、７の部品はことに高剛性を必要とするため、アルミなら８０００系合金、強化プラスティックならＣＦＲＰが理想である。８は７ｂ、７ｃに接着されたもので、９が７ｃを３に押しつけるための雌ネジの穴１５を備えている。１０は前述の通り６に固着された雄ネジ。１１はその雌ネジで、１２のリングを押圧して５と７ａを６に締めつけて竿保持具の上部を安定させる。１１をゆるめることによって、５を動かして竿先の上下が調節できるし、竿先の方向を左右任意の角度で固定することもできる。ただ、左右に開く角度には保持具そのものの強度に限界があるので、５の動きは１６のストッパーで止める。
図６は本発明のクランプ装置の分解図である。６−Ａにおいて、９は説明のため切り離して書いたが、実際は７ｂ、８と一体で、雄ネジの部分は１５の雌ネジの穴を貫いて７ｂの裏側に達していて、９をねじ込むことによって、９の先端と１４は３を押しつけて本発明が手前へ落ちるのを防ぐ力となる。１４はボートをいためぬためのゴム等クッション材である。６−Ｄの上に６−Ａがかぶさり、１０は１３の溝から突き出る。６−Ｃの１２を１０に通して落し、６−Ｂの１１が１０との螺合で５と７ａを押圧して６に固定する。図７は本発明を海側から見た側面図である。７ａは厚さ０．３ミリほどなので他の図ではわかりづらく、説明のため誇張して厚く書いた。１０は６に埋め込んで固着されているので、貫いて２をいためるようなことはない。竿先を左右に開く竿掛けは１６のストッパーまでで止まり、それ以上の角度に開くことはない。
図８は６の上にかぶせた７ａ、７ｂ、７ｃ、７ｄを最大限船側へスライドさせた図であり、７ｂ、７ｃ、７ｄは釣り人の携行の便をはかるため、折り畳める作りとしてもよい。
図９、図１０、図１１はプラスティックボートの船べりに本発明をとりつける順序を示したもので、図９はとりつける前の本発明と船べり、図１０は７ｄを３の裏側へ押し込み、７ａが２にすべりこむ。図１１は本発明を船べりの大きさに合わせながら前方へ押しつけ、９と８の螺合でねじ込むことにより、本発明を３に固定する。さらに順序として説明を加えるなら、以上の作業の後に、１０と１１の締めつけによって５と７ａを６に固定するというものである。
図１２は竿掛け部分で、竿受け部と竿かけ部は一体のステンレス針金である。
図１３は、本発明を上から見た平面図である。５は４をこれ以上の角度にひらかぬよう、１６のストッパーで止まる。
【図面の簡単な説明】
【００１２】
【図１】本発明の全容を示す斜視図。
【図２】プラスティックボートを胴切りにした断面図。
【図３】本発明が主たる対象とするプラスティックボートの船べりの実物大断面図。
【図４】古い型のプラスティックボートの断面図で、本発明は適応できる。
【図５】さらに古い型のプラスティックボートの断面図で、本発明の対象ではない。
【図６】本発明の分解図。
【図７】同・海側から見た側面図。
【図８】同・７ａを最大限手前にスライドさせた場合の斜視図。
【図９】同・ボートの船べりにとりつける前の図。
【図１０】同・ボートの船べりにはめ込む図。
【図１１】同・ボートの船べりに締めつけている図。
【図１２】同・竿受けと竿掛け部。
【図１３】本発明の平面図。
【図１４】従来型の竿保持具。
【図１５】同じく従来型の竿保持具。
【図１６】プラスティックボートに従来型の竿保持具をとりつけるため、桟をつけた図。
【図１７】本発明を応用した餌箱。
【図１８】同・ドリンクホルダー
【符号の説明】
【００１３】１  プラスティックボート本体。
２  同・船べり上面。
３  同・船べりのカエシの部分。
４  竿。
５  竿掛け部分。
６  本発明の台座の台。
７ａ  ６の上にかぶさった台座クランプ装置。
７ｂ  同
７ｃ  同
７ｄ  同
８  ７ｂと７ｃに接着された雌ネジ部材。
９  ８に螺合し、７ｂと７ｃを３に押圧する雄ネジ。
１０  ５、７ａ、１２を６に押圧する雄ネジ。
１１  １０に螺合する雌ネジで、５、７ａ、１２を６に押圧する。
１２  １１の締めつけで５を抑える筒状器具。
１３  ６と７ａとをスライドできるよう、７ａにあけられた溝。
１４  ボートをいためぬため、９の先端につけたクッション材。
１５  ９をはめ込む雌ネジの穴。
１６  ５の角度をとめるストッパー。
１７  従来型竿保持具の台座クランプ。
１８  同じく従来型竿保持具の台座クランプ。
１９  プラスティックボートにつけられた桟。
２０  桟をプラスティックボートの船べりにとりつけたビス。
２１  餌箱。
２２  ドリンクホルダー。
【図１】
2007068520.tif 000003
【図２】
2007068520.tif 000004
【図３】
2007068520.tif 000005
【図４】
2007068520.tif 000006
【図５】
2007068520.tif 000007
【図６】
2007068520.tif 000008
【図７】
2007068520.tif 000009
【図８】
2007068520.tif 000010
【図９】
2007068520.tif 000011
【図１０】
2007068520.tif 000012
【図１１】
2007068520.tif 000013
【図１２】
2007068520.tif 000014
【図１３】
2007068520.tif 000015
【図１４】
2007068520.tif 000016
【図１５】
2007068520.tif 000017
【図１６】
2007068520.tif 000018
【図１７】
2007068520.tif 000019
【図１８】
2007068520.tif 000020